(57)【要約】【課題】構造物の重量増加を抑制し、最上階の床よりも上方を緑化する。【解決手段】立設されている複数の柱１０と、隣接する前記柱１０間に架け渡され、各階毎に配置された梁２０と、各階を構成する床版３０と、上端が前記柱１０に取り付けられ、下端が各階を構成する前記床版３０に取り付けられ、前記梁１０および前記床版３０を吊り下げて支持する吊り材４０と、を備えた構造物で１あって、前記柱１０は、最上階の前記床版３０よりも上方に突出した最上方柱部１０ａを有し、前記柱１０の前記最上方柱部１０ａは、最上階の前記床版３０よりも上方に配置された最上方梁２０ａが架け渡され、隣接する前記最上方梁２０ａ間に紐状体５０が張り渡され、前記紐状体５０に植物Ｐが支持されていることを特徴とする吊り構造の構造物１。【選択図】図３
2011064011.tif 000002
【特許請求の範囲】
【請求項１】
立設されている複数の柱と、
隣接する前記柱間に架け渡され、各階毎に配置された梁と、
各階を構成する床版と、
上端が前記柱に取り付けられ、下端が各階を構成する前記床版に取り付けられ、前記梁および前記床版を吊り下げて支持する吊り材と、を備えた構造物であって、
前記柱は、最上階の前記床版よりも上方に突出した最上方柱部を有し、
前記柱の前記最上方柱部は、最上階の前記床版よりも上方に配置された最上方梁が架け渡され、
隣接する前記最上方梁間に紐状体が張り渡され、前記紐状体に植物が支持されていることを特徴とする吊り構造の構造物。
【請求項２】
前記最上方梁には、植物が栽培されているプランターが支持されていることを特徴とする請求項１記載の吊り構造の構造物。
【請求項３】
前記吊り材は、ＰＣ鋼材であることを特徴とする請求項１記載の吊り構造の構造物。
【請求項４】
前記１〜３のいずれか１項に記載の前記構造物は、駐車場であることを特徴とする吊り構造の構造物。
【発明の詳細な説明】
【技術分野】
【０００１】
本発明は、屋上緑化を目的とした吊り構造の構造物に関するものである。
【背景技術】
【０００２】
従来、構造物の構造として、地震や強風等に対抗するため、吊り床構造の構造物が知られている（特許文献１参照）。
【０００３】
また、近年、温暖化予防のため、ビル等の構造物の屋上を緑化する屋上緑化が知られている（特許文献２参照）。
【先行技術文献】
【特許文献】
【０００４】
【特許文献１】特開平１０−１０２８１７
【特許文献２】特開２００２−３８６６３
【発明の概要】
【発明が解決しようとする課題】
【０００５】
しかしながら、このような吊り構造の構造物は、各階の床はその階よりも上方に位置する柱に連結されたワイヤーによって吊り下げられるため、最上階（屋上階）の上方に柱が突出した状態となっており、その柱を有効活用されないままであった。
【０００６】
また、温暖化防止策として行う屋上緑化では、緑化施工に伴い、構造物の重量が増加する、という問題があった。
【０００７】
本発明は、上述した事情に鑑みてなされたもので、その目的は、構造物の重量増加を抑制しながら、最上階の床よりも上方を緑化することができる吊り構造の構造物を提供することにある。
【課題を解決するための手段】
【０００８】
［１］立設されている複数の柱と、隣接する前記柱間に架け渡され、各階毎に配置された梁と、各階を構成する床版と、上端が前記柱に取り付けられ、下端が各階を構成する前記床版に取り付けられ、前記梁および前記床を吊り下げて支持する吊り材と、を備えた構造物であって、前記柱は、最上階の前記床版よりも上方に突出した最上方柱部を有し、前記柱の前記最上方柱部は、最上階の前記床版よりも上方に配置された最上方梁が架け渡され、隣接する前記最上方梁間に紐状体が張り渡され、前記紐状体に植物が支持されていることを特徴とする吊り構造の構造物。
【０００９】
［２］前記最上方梁には、植物が栽培されているプランターが支持されていることを特徴とする前項１記載の吊り構造の構造物。
【００１０】
［３］前記吊り材は、ＰＣ鋼材であることを特徴とする前項１記載の吊り構造の構造物。
【００１１】
［４］前項１〜３のいずれか１項に記載の前記構造物は、駐車場であることを特徴とする吊り構造の構造物。
【発明の効果】
【００１２】
前項［１］の発明によると、前記柱に最上階の前記床版よりも上方に突出した最上方柱部に、最上階の前記床版よりも上方に配置された最上方梁を架け渡し、隣接する前記最上方梁間に紐状体を張り渡し、前記紐状体に植物を支持したため、最上階の床版を支持するため柱や梁を、屋上緑化に必要な構造物の柱や梁として利用することで、構造物の重量増加を抑制ながら、最上階の床よりも上方を緑化することができる。
【００１３】
前項［２］の発明によると、前記最上方梁に植物が栽培されているプランターを支持したため、最上階に緑化を干渉させず、最上階の床よりも上方のみを緑化させることができる。
【００１４】
前項［３］の発明によると、吊り材をＰＣ鋼材としたため、重量を軽減でき、設置面積も小さくできる。これにより、空間性を高めることができる。
【００１５】
前項［４］の発明によると、前項１〜４のいずれか１項に記載の前記構造物を駐車場としたため、この駐車場について上述した構造物の効果を奏することができる。
【図面の簡単な説明】
【００１６】
【図１】図１は、本発明の一実施形態にかかる吊り構造の構造物の正面図である。
【図２】図２は、同構造物の骨組みを示した斜視説明図である。
【図３】図３は、同構造物の緑化構成を示した斜視説明図である。
【図４】図４は、同構造物の横梁の内部構成を示した拡大図である。
【発明を実施するための形態】
【００１７】
次に、本発明の一実施形態について図１〜図４を参照して以下に説明する。
【００１８】
図１は、本発明の一実施形態にかかる吊り構造の構造物の正面図である。図２は、同構造物の骨組みを示した斜視説明図である。図３は、同構造物の緑化構成を示した斜視説明図である。図４は、同構造物の横梁の内部構成を示した拡大図である。
【００１９】
図１に示すように、この実施形態にかかる吊り構造の構造物１は、６階建ての駐車場になっており、下方から１階、２階、３階、４階、５階、最上階（屋上）となっている。
【００２０】
図１〜図２に示すように、この吊り構造の構造物１は、柱１０と、梁２０と、床版３０と、吊り材４０と、から構成されている。
【００２１】
図１〜図２に示すように、柱１０・・・は、地盤Ｇに埋設されているフーチング１１・・・の上に立設されている。このフーチング１１・・・上に立設された柱１０・・・は、所定の間隔をおきながら複数本立設されている。また、この柱１０・・・は、最上階（屋上）の床よりも上方に突出した最上方柱部１０ａ・・・を有している。
この柱１０・・・は、例えば角柱形状に形成されている。またこの柱１０・・・の全高は、例えば全高１９．５ｍに設定されている。
【００２２】
次に、梁について説明する。
【００２３】
図１〜図２に示すように、隣接する柱１０・・・間には、各階毎に所定数の梁２０・・・が接続されている。この梁２０・・・は、縦方向に延びる縦梁２１・・・と、横方向に延びる横梁２２・・・とから構成されている。
【００２４】
まず、１〜５階までの梁について説明する。
【００２５】
図２に示すように、この縦梁２１・・・は、縦方向に水平に延び隣接する柱１０・・・間を架け渡し、柱１０・・・に接続されている。さらに、この縦梁２１・・・は、柱１０・・・間以外にも、横梁２２・・・に直交する位置に配置され、横梁２２・・・間を架け渡し、横梁２２・・・と交差するように連結されている。
【００２６】
また、横梁２２・・・は、横方向に水平に延び隣接する柱１０・・・間を架け渡し、柱１０・・・に接続されている。さらに、この横梁２２・・・は、柱１０・・・間以外にも、縦梁２１・・・に直交する位置に配置され、縦梁２１・・・間を架け渡し、縦梁２１・・・と交差するように連結されている。
【００２７】
以上のようにして、縦梁２１・・・および横梁２２・・・すなわち梁２０・・・は、各階（２階〜５階）の所定箇所に複数配置されている。
【００２８】
次に、最上階の床よりも上方に配置された梁について説明する。
【００２９】
図３に示すように、隣接する最上方柱部１０ａ・・・間には、最上方梁２０ａ・・・が接続されている。この最上方梁２０ａ・・・は、縦方向に延びる最上方縦梁２１ａ・・・と、横方向に延びる最上方横梁２２ａ・・・と、から構成されている。
【００３０】
この最上方縦梁２１ａ・・・は、縦方向に水平に延び、隣接する最上方柱部１０ａ・・・間を架け渡し、最上方柱部１０ａ・・・に接続されている。さらに、この最上方縦梁２１ａ・・・は、最上方柱部１０ａ・・・間以外にも、最上方横梁２２ａ・・・に直交する位置に配置され、最上方横梁２２ａ・・・間を架け渡し、最上方横梁２２ａ・・・と交差するように連結されている。
【００３１】
また最上方横梁２２ａ・・・は、横方向に水平に延び隣接する最上方柱部１０ａ・・・間を架け渡し、最上方柱部１０ａ・・・に接続されている。さらに、この最上方横梁２２ａ・・・は、最上方柱部１０ａ・・・間以外にも、最上方縦梁２１ａに直交する位置に配置され、最上方縦梁２１ａ・・・間を架け渡し、最上方縦梁２１ａ・・・と交差するように連結されている。
【００３２】
以上のようにして、最上方縦梁２１ａ・・・および最上方横梁２２ａ・・・すなわち最上方梁２０ａ・・・は、最上階の梁２０・・・とその上面に載置される床版３０・・・とかなる床よりも上方の所定箇所に配置されている。
【００３３】
また、最上階の床よりも上方に存在する最上方横梁２２ａ・・・の上面には、プランター２２２・・・が載置され、手摺２２１・・・が固定されている。プランター２２２には、例えば植物用土肥が敷き詰められ、そこに植物Ｐが栽培されている。手摺２２１は、プランター２２２を管理する際に転落等防止のために、最上方横梁２２ａに沿って固定されている。また、最上方縦梁２１ａ・・・の上面には、最上方縦梁２１ａ・・・に沿って手摺２１１・・・が固定されている。
【００３４】
この最上方横梁２２ａおよび最上方縦梁２１ａは、最上方横梁２２ａおよび最上方縦梁２１ａの上面を人が渡れるぐらいの幅を有していることが好ましい。そのため、最上方横梁２２ａおよび最上方縦梁２１ａは、例えば幅１０００〜１５００ｍｍが好ましく、この実施形態では幅１３００ｍｍに設定されたものを採用している。
【００３５】
図４に示すように、最上方横梁２２ａの内部には、紐状体５０を挿入するための挿入管部２２３，２２３が形成されている。この挿入管部２２３，２２３は、最上方横梁２２ａの長手方向に直交する方向に挿入管部２２３，２２３が形成されている。この挿入管部２２３は、直径４０〜１００ｍｍのものが好ましく、この実施形態では、直径５０ｍｍに形成されている。
【００３６】
最上方横梁２２ａ・・・と最上方縦梁２１ａ・・・とで囲まれた内側には、緑化ユニット部６０・・・が形成されている。この緑化ユニット部６０・・・は、最上階の床よりも上方に複数存在する。この緑化ユニット部６０は、紐状体５０と、養生ネット５１と、植物Ｐと、から構成されている。
【００３７】
紐状体５０・・・は、隣接する最上方横梁２２ａ間に数本（この実施形態では６本）張り渡され、最上方横梁２２ａの挿入管部２２３に固定されている。すなわち、この紐状体５０の一端部は、最上方横梁２２ａの挿入管部２２３内に挿入され、その挿入管部２２３の内部で固定されている。また紐状体５０の他端部は、平行に配された隣接する最上方横梁２２ａの外部に露出されている紐状体定着部２２４に固定されている。
【００３８】
紐状体５０は、例えばワイヤー、ロープ、エクスパンドメタル、グレーチング、ネット等が好ましく、この実施形態では、ワイヤーを採用している。この紐状体５０は、直径１２〜３０ｍｍ、長さ１７０００〜３５０００ｍｍが好ましく、この実施形態では直径１８ｍｍ、長さ１７０００ｍのものを採用している。
【００３９】
この各緑化ユニット部６０・・・の各紐状体５０・・・には、養生ネット５１が支持されている。また、この養生ネット５１には植物Ｐが誘引され栽培されている。この植物Ｐは、例えば蔓植物が採用されている。
【００４０】
また、柱１０・・・および最上方柱部１０ａと、梁２０・・・および最上方梁２０ａとが交わる箇所には、上部定着突起１２が形成されている。
次に、床版について説明する。
【００４１】
図２、図３に示すように、設置予定階の１階部分と最上階の床より上方に存在する梁２０を除く、縦梁２１および横梁２２からなる梁２０の上面には、床版３０が敷設されている。この床版３０によって各階（床）は、形成されている。
【００４２】
また、この床版３０には、転落防止壁２２５と下部定着突起２１２とが形成されている。
【００４３】
転落防止壁２２５は、自動車等が誤って構造物１内部側（駐車場）から、構造物１の外部側に誤発進した際の転落（落下）を防止するため、構造物１の外周縁を囲うように適宜配設されている。この転落防止壁２２５は、厚さ１００〜２５０ｍｍ、高さ６００〜１１００ｍｍ、幅１０００〜２０００ｍｍのものが好ましく、この実施形態では厚さ２００ｍｍ、高さ１１００ｍｍ、幅１５００ｍｍのものを採用している。
【００４４】
また、縦梁２１と横梁２２とが連結する箇所であって、この連結する箇所の上階の上部定着突起１２の斜め下方位置には、下部定着突起２１２が形成されている。
【００４５】
次に吊り材４０ついて説明する。
【００４６】
図１〜図３に示すように、吊り材４０の上端および下端には、構造物１に緊張状態で接続するための固定具４１が固着されている。
【００４７】
吊り材４０の上端の固定具４１は、吊り材４０の設置予定階の上階の上部定着突起１２に固定され、吊り材４０の下端の固定具４１は、吊り材４０の設置予定階に形成された下部定着突起２１２に固定されている。この上端と下端とが固定された吊り材４０は、斜め姿勢のまま緊張状態で固定されている。これによって、梁２０上に敷設された床版３０すなわち床は、吊り下げられている。
【００４８】
このような接続構成の吊り材４０は、各階ごとに複数本取り付けられている。中央の柱１０・・・では、２本の吊り材４０，４０が左右両側から交差するように取り付けられている。また、左右両端の柱１０・・・では、各１本ずつ吊り材４０が取り付けられている。
【００４９】
吊り材４０は、例えば棒状に形状されている。この吊り材４０は、例えばＰＣ鋼材を採用している。この吊り材４０は、直径９．５〜１５．２ｍｍ、全長５０００〜７０００ｍｍのものが好ましく、この実施形態では直径３８．１〜４７．５ｍｍ、全長４８００ｍｍのものを採用している。
【００５０】
本実施形態の吊り構造の構造物１は、次の利点がある。
【００５１】
すなわち、最上方横梁２２ａ・・・と最上方縦梁２１ａ・・・とで囲まれた内側には、緑化ユニット部６０・・・を形成したため、最上階の床版を支持するため柱や梁を、屋上緑化に必要な構造物の柱や梁として利用することで、構造物の重量増加を抑制ながら、最上階の床よりも上方を緑化することができる。
【００５２】
さらに、最上方横梁２２ａの上面に、プランター２２２を載置したため、最上階に緑化を干渉させず、最上階の床よりも上方のみを緑化させることができる。
【００５３】
さらに、緑化ユニット部６０は、紐状体５０と養生ネット５１と、植物Ｐから構成したため、大掛かりな緑化施工を必要とせずに、構造物の重量増加を抑制しながら、容易に緑化することができる。
【００５４】
さらに、最上方横梁２２ａおよび最上方縦梁２１ａの上面に、手摺２２１を固定したため、プランター２２２を管理する際に転落等防止することができる。
【００５５】
さらに、紐状体５０の一端部を最上方横梁２２ａの挿入管部２２３内に挿入し、その挿入管部２２３の内部で固定し、また紐状体５０の他端部を平行に配された隣接する最上方横梁２２ａの外部に露出されている紐状体定着部２２４に固定したため、容易に紐状体５０を隣接する最上方横梁２２ａ間に張り渡すことができる。
【００５６】
さらに、紐状体５０にワイヤーを採用したため、高強度により、紐状体５０の破断を防止することができる。
【００５７】
さらに、養生ネット５１に例えば蔓植物を誘引し栽培したため、蔓植物が自ら養生ネット５１に巻き付いて成長していくことにより、容易に養生ネット５１上を緑化させることができる。
【００５８】
さらに、吊り材４０の上端および下端に、構造物１に緊張状態で接続するための固定具４１を固着し、柱１０・・・および最上方柱部１０ａと、梁２０・・・および最上方梁２０ａとが交わる箇所には、上部定着突起１２が形成し、縦梁２１と横梁２２とが連結する箇所であって、この連結する箇所の上階の上部定着突起１２の斜め下方位置には、下部定着突起２１２が形成したため、吊り材４０を構造物１に容易に固定することができる。
さらに、床版３０に、転落防止壁２２５を形成したため、自動車等が誤って構造物１内部側（駐車場）から、構造物１の外部側に誤発進した際の転落（落下）を防止することができる。
【００５９】
さらに、吊り材４０を棒状に形状されたＰＣ鋼材を採用したため、重量を軽減でき、設置面積も小さくできる。これにより、空間性を高めることができる。
【００６０】
以上、本発明を一実施形態に基づいて説明してきたが、本発明は、これに限定されるものではなく、たとえば以下のように構成しても良い。
【００６１】
（１）上記実施形態では、紐状体５０の一端部を、最上方横梁２２ａの挿入管部２２３内に挿入し、その挿入管部２２３の内部で固定し、また紐状体５０の他端部を平行に配された隣接する最上方横梁２２ａの外部に露出している紐状体定着部２２４に固定したが、本発明はこれに限定されるものではなく、最上方縦梁２１ａに挿入管部２２３を形成し、その挿入管部２２３内に紐状体５０の一端部を挿入し、挿入管部２２３内で固定し、また紐状体５０の他端部を平行に配された隣接する最上方縦梁２１ａの外部に露出している紐状体定着部２２４に固定しても良い。
【００６２】
（２）上記実施形態では、この各緑化ユニット部６０・・・の各紐状体５０・・・には、養生ネット５１を支持し、この養生ネット５１に例えば蔓植物を誘引し栽培したが、本発明はこれに限定されるものではなく、紐状体５０を介して緑化すれば良く、必ずしもこのような構成にする必要はない。
【００６３】
（３）上記実施形態では、プランター２２２に例えば植物用土肥が敷き詰められ、そこに植物Ｐを栽培したが、本発明はこれに限定されるものではなく、最上方梁２０ａ周辺を緑化できれば良く、例えば水耕栽培や、太陽光発電板等でも良い。
【００６４】
（４）上記実施形態では、紐状体５０の一端部を最上方横梁２２ａの挿入管部２２３内に挿入し、その挿入管部２２３の内部で固定し、また紐状体５０の他端部を平行に配された隣接する最上方横梁２２ａの外部に露出されている紐状体定着部２２４に固定したが、本発明はこれに限定されるものではなく、隣接する最上方梁２０ａ間に紐状体５０を張り渡せれば良く、必ずしも上記のような手段で張り渡せる必要はない。
【００６５】
（５）上記実施形態では、最上方横梁２２ａの上面には、手摺２２１を固定したが、本発明はこれに限定されるものではなく、プランター２２２を管理する際に転落等防止する手段であれば良く、例えば柵等でも良く、必ずしも手摺である必要はない。
【００６６】
（６）上記実施形態では、吊り材４０の上端の固定具４１を、吊り材４０の設置予定階の上階の上部定着突起１２に固定し、吊り材４０の下端の固定具４１を、吊り材４０の設置予定階に形成された下部定着突起２１２に固定し、この上端と下端とが固定された吊り材４０を、斜め姿勢のまま緊張状態で固定し、これによって、梁２０上に敷設された床版３０すなわち床を、吊り下げたが、本発明はこれに限定されるものではなく、吊り構造の構造物であればよく、必ずしも吊り材４０の固定具４１を上部定着突起１２および下部定着突起２１２に固定し、緊張状態で固定した吊り構造にする必要はない。
【００６７】
（７）上記実施形態では、吊り材４０は、各階ごとに複数本取り付け、中央の柱１０・・・では、２本の吊り材４０，４０が左右両側から交差するように取り付け、左右両端の柱１０・・・では、各１本ずつ吊り材４０が取り付けたが、本発明はこれに限定されるものではなく、吊り構造の構造物であれば、必ずしもこのような構造にする必要はない。
【００６８】
（８）上記実施形態では、柱１０・・・を角柱形状に形成したが、本発明はこれに限定されるものではなく、例えば円柱形状等でも良く、柱として機能する形状であれば、必ずしも角柱形状にする必要はない。
【００６９】
（９）上記実施形態では、吊り構造の構造物１は、６階建ての駐車場になっており、下方から１階、２階、３階、４階、５階、最上階（屋上）となっているとしたが、本発明はこれに限定されるものではなく、２階以上の吊り構造の構造物であれ良く、６階建てに限定されるものではない。
【００７０】
また、駐車場としたが、本発明はこれに限定されるものではなく、必ずしも駐車場にする必要はなく、例えば多層階の建築構造物等の構造物でも良い。
【符号の説明】
【００７１】
１０    柱
１０ａ  最上方柱部
２０    梁
２０ａ  最上方梁
２２２  プランター
３０    床版
４０    吊り材
５０    紐状体
Ｐ      植物
【図１】
2011064011.tif 000003
【図２】
2011064011.tif 000004
【図３】
2011064011.tif 000005
【図４】
2011064011.tif 000006